(57)【要約】【課題】アイメイク用の三面鏡を備えていても、良好な操作性で化粧操作することが可能なアイメイク用化粧料容器を提供する。【解決手段】アイメイクのために縦向きに展開可能な三面の鏡面を有する三面鏡１に重ね合わせる配置で、三面鏡１の裏面にペンシル状化粧料２を挿抜自在に収納するホルダ体３を設けた。特に、ペンシル状化粧料２で化粧をする場合は、当該ペンシル状化粧料２をホルダ体３から挿抜操作するだけでいいため、三面鏡１を開いた状態で、上部鏡枠８の裏面８ａに手指を回し、ホルダ体３の孔部３ａから露出しているペンシル状化粧料２を手でもって抜き出すという操作だけであるので、三面鏡１を見続けながら化粧操作を行うことができる。【選択図】図１
2005304915.tif 000002
【特許請求の範囲】
【請求項１】
アイメイクのために縦向きに展開可能な三面の鏡面を有する三面鏡に重ね合わせる配置で、該三面鏡の裏面にペンシル状化粧料を挿抜自在に収納するホルダ体を設けたことを特徴とするアイメイク用化粧料容器。
【発明の詳細な説明】
【技術分野】
【０００１】
本発明は、アイメイク用の三面鏡を備えていても、良好な操作性で化粧操作することが可能なアイメイク用化粧料容器に関する。
【背景技術】
【０００２】
従来、化粧料容器の中には、横向きに展開される三面鏡を有するものが知られている（例えば、特許文献１〜３参照）とともに、特に眼の上側や下側を見易くする目的で、例えば特許文献４に開示されているように、化粧料が収納される容器本体にヒンジを介して回動自在に連結されて当該容器本体を開閉する蓋体の表面に、縦向きに展開される三面鏡の正面鏡の背面を重ね合わせて取り付けるようにした化粧料容器も知られている。
【特許文献１】実開昭６２−７９１１号公報
【特許文献２】実開昭６２−７８８０７号公報
【特許文献３】特開２０００−１７５７３８号公報
【特許文献４】特開平１１−２９９５３９号公報
【発明の開示】
【発明が解決しようとする課題】
【０００３】
ところで、特許文献４に開示された化粧料容器では、化粧をする際、化粧操作を見るための三面鏡の反対側に蓋体を挟んで、化粧料を収納している容器本体が位置することになるため、三面鏡を正面に向けて化粧をする一方で、化粧具に化粧料を付着するときには手を回すなどして三面鏡を顔から逸らして容器本体を正面に向けなければならず、そしてまた三面鏡を元の位置に戻して顔を映すというように操作する必要があって、化粧をする際の操作性がよくなかった。特に、このような従来の化粧料容器に収納する化粧料として、アイメイク用のアイブロウペンシルなどのペンシル状化粧料を想定した場合にも、操作性が良くないことは同様であり、当該ペンシル状化粧料に対して好適な三面鏡を備えたアイメイク用化粧料容器の案出が望まれていた。
【０００４】
本発明は上記従来の課題に鑑みて創案されたものであって、アイメイク用の三面鏡を備えていても、良好な操作性で化粧操作することが可能なアイメイク用化粧料容器を提供することを目的とする。
【課題を解決するための手段】
【０００５】
本発明にかかるアイメイク用化粧料容器は、アイメイクのために縦向きに展開可能な三面の鏡面を有する三面鏡に重ね合わせる配置で、該三面鏡の裏面にペンシル状化粧料を挿抜自在に収納するホルダ体を設けたことを特徴とする。
【発明の効果】
【０００６】
本発明にかかるアイメイク用化粧料容器にあっては、アイメイク用の三面鏡を備えていても、良好な操作性で化粧操作することができる。
【発明を実施するための最良の形態】
【０００７】
以下に、本発明にかかるアイメイク用化粧料容器の好適な一実施形態を、添付図面を参照して詳細に説明する。本実施形態にかかるアイメイク用化粧料容器は基本的には、図１〜図３に示すように、アイメイクのために縦向きに展開可能な三面の鏡面を有する三面鏡１に重ね合わせる配置で、三面鏡１の裏面にペンシル状化粧料２を挿抜自在に収納するホルダ体３を設けて構成される。
【０００８】
三面鏡１は本実施形態にあっては、正面の鏡板４ａが取り付けられた中央鏡枠４と、この中央鏡枠４の下端縁に下側ヒンジ５を介して回動自在に設けられ、回動されて正面の鏡板４ａに向かい合わせて重ね合わされる下側の鏡板６ａが取り付けられた板状の下部鏡枠６と、中央鏡枠４の上端縁に上側ヒンジ７を介して回動自在に設けられ、回動されて下部鏡枠６の裏面に重ね合わされる上側の鏡板８ａが取り付けられた板状の上部鏡枠８とから構成される。特に、上側ヒンジ７は、中央鏡枠４上に下部鏡枠６を重ね合わせた状態で、当該下部鏡枠６上に上部鏡枠８を重ね合わせるために、下部鏡枠６の板厚相当の高さ寸法で形成される。そしてこの三面鏡１は、上側ヒンジ７および下側ヒンジ５により、中央鏡枠４に対し、上部鏡枠８を上側に、下部鏡枠６を下側に回動させて縦向きに展開させることが可能で、これによりアイメイクに便利なように三面の鏡板４ａ，６ａ，８ａが上下方向へ縦向きに配置されるようになっている。
【０００９】
この三面鏡１、具体的には上側の鏡板８ａが取り付けられた上部鏡枠８の裏面８ｂには、これに重ね合わせる配置で、アイブロウペンシルなどの固形形態のペンシル状化粧料２を収納するホルダ体３が一体成形により設けられる。このホルダ体３には、上部鏡枠８の左右方向一方へ横向きに開口されて、複数のペンシル状化粧料２がそれぞれ挿抜自在に挿入される複数の孔部３ａが形成される。これら孔部３ａ内には図示しないけれども、挿入されたペンシル状化粧料２の周りに弾接して、携行時などに抜け落ちないように保持するゴム製チューブ体などの抜け止め部材が設けられる。またこの横向きのホルダ体３は図示例にあっては、孔部３ａに収納された状態のペンシル状化粧料２を容易に取り出せるようにその露出量を考慮して、上部鏡枠８の左右方向長さよりも短い左右方向長さで、上部鏡枠８の左右方向一方に寄せて設けられる。
【００１０】
本実施形態にかかるアイメイク用化粧料容器の作用について説明すると、化粧操作をする際には、上側ヒンジ７および下側ヒンジ５を介して中央鏡枠４に対し上部鏡枠８および下部鏡枠６をそれぞれ上側および下側に回動操作して縦向きに展開させることにより三面鏡１を開いて、眼の周りを映すことができるように手指で支える。特に、ペンシル状化粧料２で化粧をする場合は、当該ペンシル状化粧料２をホルダ体３から挿抜操作するだけでいいため、三面鏡１を開いた状態で、上部鏡枠８の裏面８ｂに手指を回し、ホルダ体３の孔部３ａから露出しているペンシル状化粧料２を手でもって抜き出すという操作だけであるので、三面鏡１を見続けながら化粧操作を行うことができる。化粧操作が終わったときには、ホルダ体３にペンシル状化粧料２を戻し、また三面鏡１を折り畳めばよい。
【００１１】
以上説明したように本実施形態にかかるアイメイク用化粧料容器にあっては、アイメイクのために縦向きに展開可能な三面の鏡面を有する三面鏡１に重ね合わせる配置で、三面鏡１の裏面にペンシル状化粧料２を挿抜自在に収納するホルダ体３を設けたので、ペンシル状化粧料２の化粧操作を勘案して合理的に三面鏡１を利用したアイメイクを行うことができ、従来のように三面鏡を正面に向けて化粧をする一方で、化粧具に化粧料を付着するときには手を回すなどして三面鏡を顔から逸らして容器本体を正面に向けるようにし、さらにまた三面鏡を元の位置に戻して顔を映すというような煩雑な操作を必要とせずに、良好な操作性で化粧をすることができる。そして本実施形態にあっては、ホルダ体３を上部鏡枠８に一体形成すればよくて構造が非常に簡単である反面、化粧の操作性に対してきわめて顕著な改善を図ることができる。
【００１２】
本実施形態にあっては、上部鏡枠８にホルダ体３を設けるようにしているが、中央鏡枠４に設けてもよく、さらには、上部鏡枠８と中央鏡枠４との間に挟み込まれる下部鏡枠６であっても、ホルダ体３を設けることができる。また、本実施形態にあっては、ホルダ体３の孔部３ａを横向きに開口してペンシル状化粧料２を横向きに挿抜する場合が例示されているが、孔部３ａを縦向きに開口させて縦向きのホルダ体３としてもよいことはもちろんである。
【図面の簡単な説明】
【００１３】
【図１】本発明にかかるアイメイク用化粧料容器の好適な一実施形態を示す斜視図である。
【図２】図１のアイメイク用化粧料容器の側断面図である。
【図３】図１のアイメイク用化粧料容器の使用状態を示す説明図である。
【符号の説明】
【００１４】
１  三面鏡
２  ペンシル状化粧料
３  ホルダ体
【図１】
2005304915.tif 000003
【図２】
2005304915.tif 000004
【図３】
2005304915.tif 000005